(57)【要約】【課題】ニップ形成部材の定着ベルトと接する面に設けた、摺動シートからの潤滑剤の漏れを防止することができる定着装置を提供する。【解決手段】定着ベルト８０を介してニップ形成部材８３に対向して、定着ベルト８０との間にニップ部Ｎを形成する回転可能な加圧ローラ８１が設けられており、ニップ形成部材８３のニップ部Ｎ側の表面には、潤滑剤が含有された第１摺動シート８４部材が貼り付けられており、またニップ部Ｎの上流側に位置するようにしてシート固定部材９１に潤滑剤が含有された第２摺動シート９０が貼り付けられて、定着ベルト８０の内面に当接されており、第１摺動シート８４の織り目方向と第２摺動シート９０の織り目方向とが逆方向となるようにしている。【選択図】図２
2017167349.tif 000002
【特許請求の範囲】
【請求項１】
無端ベルト状の回転可能な定着部材と、
前記定着部材を加熱する加熱源と、
前記定着部材の内側に配置されたニップ形成部材と、
前記定着部材を介して前記ニップ形成部材に対向し、前記定着部材との間にニップ部を形成する回転可能な加圧部材と、
潤滑剤が含浸され、前記ニップ形成部材と前記定着部材との間に設置された、織り目を有してなる第１摺動部材と、を備えた定着装置であって、
潤滑剤が含浸され、前記ニップ部以外の少なくとも一部の領域で前記定着部材の内面に接触される第２摺動部材を有し、
前記第２摺動部材は、前記第１摺動部材の織り目方向とは異なる織り目を有していることを特徴とする定着装置。
【請求項２】
前記第２摺動部材は、前記定着部材の回転方向に沿って前記ニップ部の上流側に位置していることを特徴とする請求項１に記載の定着装置。
【請求項３】
前記第２摺動部材と前記定着部材との軸方向の接触面積は前記ニップ部よりも広く、前記第２摺動部材の前記定着部材に対する接触圧力は前記ニップ部での接触圧力よりも小さいことを特徴とする請求項１又は２に記載の定着装置。
【請求項４】
前記加圧部材に対して、前記定着部材を介して前記ニップ形成部材側に所定の加圧力で当接・離間させるための加圧力調整機構と、前記第２摺動部材に対して、前記定着部材の内面に当接・離間させるための接離機構とを有し、
前記加圧力調整機構の駆動動作と前記接離機構の動作は連動していることを特徴とする請求項１乃至３のいずれか一項に記載の定着装置。
【請求項５】
前記加圧部材に対して、前記定着部材を介して前記ニップ形成部材側に所定の加圧力で当接・離間させるための加圧力調整機構と、前記第２摺動部材に対して、前記定着部材の内面に当接・離間させるための接離機構とを有し、
前記加圧力調整機構と前記接離機構の各々の駆動動作は独立して行われることを特徴とする請求項１乃至３のいずれか一項に記載の定着装置。
【請求項６】
画像形成準備動作時での前記定着部材の回転開始から所定の時間が経過するまでは、前記第２摺動部材は定着部材の内面から離間されていることを特徴とする請求項５に記載の定着装置。
【請求項７】
定着動作時における少なくとも通紙枚数データを含む定着動作状態データに基づいて、前記第２摺動部材を前記定着部材に当接させるか、離間させるかを決定し、この決定結果に基づいて前記接離機構が駆動されることを特徴とする請求項５に記載の定着装置。
【請求項８】
当接・離間を決定するための定着動作状態データの閾値は変更可能であることを特徴とする請求項７に記載の定着装置。
【請求項９】
請求項１乃至８のいずれか一項に記載の定着装置を備えることを特徴とする画像形成装置。
【発明の詳細な説明】
【技術分野】
【０００１】
本発明は、定着装置及び画像形成装置に関する。
【背景技術】
【０００２】
電子写真方式の複写機、プリンタ、ファクシミリ、複合機等の画像形成装置では、像担持体である感光体ドラムの表面に静電潜像を形成し、感光体ドラム上の静電潜像をトナーなどの現像剤によって現像して顕像化し、このトナー像を転写装置により記録紙に転写して、転写後の記録紙に対して定着装置にて加熱加圧を加えることによって、記録紙上のトナー像を定着し、定着された記録紙を装置外に排紙する構成になっている。
【０００３】
未定着トナー像を定着させるための定着装置として、近年、さらなる省エネ性及びファーストプリントタイム向上のために、無端状の定着ベルトを用い、この定着ベルトを金属熱伝導体を介さずに直接加熱する定着装置が提案されている（例えば、特許文献１参照）。
【０００４】
この特許文献１に記載の定着装置では、無端状の定着ベルトの内側にニップ形成部材が配置され、回転駆動される加圧ローラの加圧で、定着ベルトをニップ形成部材に押し付けてニップ部を形成している。また、ニップ部での定着ベルトの内周面とニップ形成部材との間の摩擦抵抗を低減するために、両者の間に潤滑剤を含浸させた摺動シートが設けられている。
【発明の概要】
【発明が解決しようとする課題】
【０００５】
ところで、上記の摺動シートは繊維を織り込んでシート状に形成されているので、摺動シートの織り目によって、加圧された摺動シートに含浸されている潤滑剤の流れ方向が決定される。特に、摺動シートの織り目が綾目（織目が斜め）の場合は、綾目の目の方向に沿って潤滑剤が摺動シートの一方の端部側に移動し、摺動シートから潤滑剤が漏れるおそれがある。
【０００６】
摺動シートの一方の端部側から潤滑剤が漏れると、摺動シートの潤滑剤不足によってニップ部での定着ベルトとニップ形成部材との間の摩擦抵抗が大きくなり、これにともなって、圧接して定着ベルトを回転させるための駆動モータの必要回転トルクが大きくなり、駆動モータの負担が増してしまうなどの不具合が発生する。
【０００７】
そこで、本発明は、ニップ形成部材の定着ベルトと接する面に設けた、潤滑剤を含浸させた摺動シートからの潤滑剤の漏れを防止することができる定着装置及び画像形成装置を提供することを目的とする。
【課題を解決するための手段】
【０００８】
前記目的を達成するために本発明に係る定着装置は、無端ベルト状の回転可能な定着部材と、前記定着部材を加熱する加熱源と、前記定着部材の内側に配置されたニップ形成部材と、前記定着部材を介して前記ニップ形成部材に対向し、前記定着部材との間にニップ部を形成する回転可能な加圧部材と、潤滑剤が含浸され、前記ニップ形成部材と前記定着部材との間に設置された、織り目を有してなる第１摺動部材と、を備えた定着装置であって、潤滑剤が含浸され、前記ニップ部以外の少なくとも一部の領域で前記定着部材の内面に接触される第２摺動部材を有し、前記第２摺動部材は、前記第１摺動部材の織り目方向とは異なる織り目を有していることを特徴としている。
【発明の効果】
【０００９】
本発明に係る定着装置によれば、ニップ部以外の少なくとも一部の領域で定着部材の内面に接触される、潤滑剤が含浸された第２摺動部材を設けて、第２摺動部材の織り目の方向が第１摺動部材の織り目の方向とは異なるようにしたことにより、第１摺動部材に含浸されている潤滑剤が外部に漏れることを防止することができる。
【図面の簡単な説明】
【００１０】
【図１】実施形態１に係る定着装置を備えたプリンタの概略構成を示す図。
【図２】実施形態１に係る定着装置の構造を示す図。
【図３】加圧ローラ側の表面が平坦面状に形成されたニップ形成部材を示した図。
【図４】第１摺動シートの織り目方向を示した図。
【図５】第１摺動シートを構成する繊維の綾織りを示した図。
【図６】第１摺動シートに含浸された潤滑剤の移動方向を示した図。
【図７】第２摺動シートの織り目方向を示した図。
【図８】第２摺動シートに含浸された潤滑剤の移動方向を示した図。
【図９】実施形態１の変形例に係る定着装置のニップ部付近を示す図。
【図１０】実施形態１の他の変形例に係る定着装置のニップ部付近を示す図。
【図１１】実施形態３に係る定着装置の構造を示す図。
【図１２】実施形態３における接離機構の概略構成を示した図。
【図１３】実施形態４に係る定着装置の構造を示す図。
【図１４】実施形態５おける第２摺動シートの当接・離間制御の一例を示すフローチャート。
【発明を実施するための形態】
【００１１】
以下、本発明を図示の実施形態に基づいて説明する。
<実施形態１>
図１は、本発明の実施形態１に係る定着装置を備えた画像形成装置としての電子写真方式のプリンタを示す概略構成図である。
【００１２】
（プリンタの構成、画像形成動作）
図１に示した本実施形態のプリンタ（画像形成装置）１には、タンデム構造が採用されている。このタンデム構造は、像担持体としての感光体ドラム２０Ｙ、２０Ｃ、２０Ｍ、２０Ｂｋを並設したものである。像担持体は、イエロー、シアン、マゼンタ、ブラックの各色に色分解された色にそれぞれ対応する像としての画像を形成することが可能である。
【００１３】
プリンタ（画像形成装置）１は、周知のように、各感光体ドラム２０Ｙ、２０Ｃ、２０Ｍ、２０Ｂｋに静電潜像を形成し、各静電潜像を各色（イエロー、シアン、マゼンタ、ブラック）のトナーにより現像して可視像化しトナー像を形成する。続いて、これらのトナー像を中間転写体としての無端状の中間転写ベルト１１に重畳して転写して（１次転写）、その後に記録媒体としての記録紙Ｓに一括して転写（２次転写）した後、定着装置１０により記録紙Ｓに定着させる。定着装置１０の詳細については後述する。
【００１４】
無端状の中間転写ベルト１１は、駆動ローラ７１と複数の従ローラ７２，７３間に張架されており、各感光体ドラム２０Ｙ、２０Ｃ、２０Ｍ、２０Ｂｋに対峙しながら矢印Ａ１方向に移動可能である。中間転写ベルト１１の表面には、中間転写ベルト１１上の残留トナー等の異物を除去してクリーニングするクリーニング装置７４が設けられている。
【００１５】
各感光体ドラム２０Ｙ、２０Ｃ、２０Ｍ、２０Ｂｋの周囲には、感光体ドラムの回転に従って画像形成処理するための各部材が配置されている。これについて、ブラック画像形成を行う感光体ドラム２０Ｂｋを例に挙げて以下に説明する。
【００１６】
感光体ドラム２０Ｂｋの周囲には、感光体ドラム２０Ｂｋの回転方向に沿って画像形成処理を行う帯電装置３０Ｂｋ，現像装置４０Ｂｋ、１次転写ローラ１２Ｂｋ及びクリーニング装置５０Ｂｋが配置されている。帯電後に行われる書き込みには、光書込装置８が用いられる。
【００１７】
中間転写ベルト１１に対する重畳転写（１次転写）は、中間転写ベルト１１がＡ１方向に移動する過程において、各感光体ドラム２０Ｙ、２０Ｃ、２０Ｍ、２０Ｂｋに形成された各トナー像が、中間転写ベルト１１の同じ位置に重ねて転写されるように行われる。
【００１８】
具体的には、各感光体ドラム２０Ｙ、２０Ｃ、２０Ｍ、２０Ｂｋに形成されたトナー像が、１次転写ローラ１２Ｙ、１２Ｃ、１２Ｍ、１２Ｂｋによる電圧印加によってＡ１方向の上流側から下流側に向けてタイミングをずらして行われる。１次転写ローラ１２Ｙ、１２Ｃ、１２Ｍ、１２Ｂｋは、中間転写ベルト１１を挟んで各感光体ドラム２０Ｙ、２０Ｃ、２０Ｍ、２０Ｂｋに対向して配置されている。
【００１９】
２次転写ローラ５は、駆動ローラ７１と中間転写ベルト１１を間に挟むようにして対向して配置され、中間転写ベルト１１に従動して回転する転写部材である。
【００２０】
光書込装置８は、装置本体内のシート給送装置６１の上方に配置されている。この光書込装置８は、光源としての半導体レーザ、カップリングレンズ、ｆθレンズ、トロイダルレンズ、折り返しミラー及び偏向手段としての回転多面鏡などを備えている。
【００２１】
この光書込装置８は、各感光体ドラム２０Ｙ，２０Ｃ，２０Ｍ，２０Ｂｋに対して色毎に対応した書き込み光を出射して、各感光体ドラム２０Ｙ，２０Ｃ，２０Ｍ，２０Ｂｋに静電潜像を形成する。
【００２２】
シート給送装置６１は、給紙ローラ３を備えている。この給紙ローラ３は、給紙動作時に給紙カセット６２に積載された最上位の記録紙Ｓの上面に当接する。そして、シート給送装置６１は、給紙ローラ３が反時計回り方向に回転駆動されることにより、最上位の記録紙Ｓをレジストローラ４に向けて送る。
【００２３】
また、装置本体内の上部には、イエロー、シアン、マゼンタ、ブラックの各色のトナーがそれぞれ充填されているトナーボトル９Ｙ、９Ｃ、９Ｍ、９Ｂｋが着脱可能に配置されており、各色のトナーを現像装置４０Ｙ，４０Ｃ，４０Ｍ，４０Ｂｋにそれぞれ供給する。
【００２４】
次に、このプリンタ１による画像形成動作について説明する。
【００２５】
各帯電装置３０Ｙ、３０Ｃ、３０Ｍ、３０Ｂｋで所定のプロセススピードで矢印方向に回転している各感光体ドラム２０Ｙ、２０Ｃ、２０Ｍ、２０Ｂｋの表面を均一に帯電する。そして、光書込装置８からのレーザ光による露光により感光体ドラム２０Ｙ、２０Ｃ、２０Ｍ、２０Ｂｋの表面に、例えば外部のパソコン等から入力した画像情報に対応した静電潜像を形成する。
【００２６】
そして、各感光体ドラム２０Ｙ、２０Ｃ、２０Ｍ、２０Ｂｋの表面に形成された静電潜像に対して、各現像装置４０Ｙ、４０Ｃ、４０Ｍ、４０Ｂｋによりトナー（現像剤）を付着させて現像（可視化）する。これにより、各感光体ドラム２０Ｙ、２０Ｃ、２０Ｍ、２０Ｂｋの表面に各色のトナー像が形成され、更に１次転写ローラ１２Ｙ、１２Ｃ、１２Ｍ、１２Ｂｋによって、移動する中間転写ベルト１１上に各色のトナー像が重畳転写される。
【００２７】
この時、給紙ローラ３によって給紙カセット６２から最上部の記録紙Ｓを取り出し、搬送路を通して搬送された記録紙Ｓがレジストローラ４でいったん保持される。そして、感光体ドラム２０Ｙ、２０Ｃ、２０Ｍ、２０Ｂｋの表面でのトナー像の形成タイミングに合わせて、レジストローラ対１４で保持されていた記録紙Ｓが、中間転写ベルト１１と転写バイアスが印加された２次転写ローラ５間の転写ニップに搬送され、記録紙Ｓ上にフルカラーのトナー像が転写される。
【００２８】
そして、トナー像が転写された記録紙Ｓは、定着装置１０に搬送され、定着装置１０の無端状の定着ベルト８０と加圧ローラ８１間のニップ部にて加熱、加圧されることにより、記録紙Ｓ上にトナー像が定着される。トナー像が表面に定着された記録紙Ｓは、排紙ローラ７によって搬送されて排紙トレイ１７上に排出される。
【００２９】
（定着装置１０の構成、動作）
図２は、定着装置１０を示す概略構成図である。図２に示すように、この定着装置１０は、定着部材としての無端ベルト状の可撓性を有する定着ベルト８０、定着ベルト８０の表面に当接してニップ部Ｎを形成する加圧部材としての加圧ローラ８１、定着ベルト８０を加熱する加熱源としてのハロゲンヒータ８２、定着ベルト８０の内側で加圧ローラ８１と対向してニップ部Ｎを形成させるためのニップ形成部材８３を有している。なお、加熱源としては、図示したハロゲンヒータ８２以外にも、例えば、ＩＨや抵抗発熱体、カーボンヒータ等であってもよい。
【００３０】
ニップ形成部材８３の表面には、液状の潤滑剤を含浸した第１摺動部材としての第１摺動シート８４が、例えば粘着テープによって貼り付けられている。第１摺動シート８４は、定着ベルト８０の内面に摺接して、定着ベルト８０とニップ形成部材８３との間の摩擦抵抗を緩和させるためのものである。なお、第１摺動シート８４のニップ形成部材８３への取り付けは、粘着テープによる貼り付けに限らず、例えば、第１摺動シート８４をニップ形成部材８３に覆設して、定着ベルト８０との非対向側での複数のネジによる固定及び粘着テープによる貼り付けとの併用も可能である。第１摺動シート８４の詳細については後述する。
【００３１】
本実施形態では、ニップ部Ｎを形成するためのニップ形成部材８３の表面が少し凹状になっている。ニップ形成部材８３の表面が少し凹状になっていると、ニップ部Ｎを通過後の記録紙Ｓの先端の排出方向が加圧ローラ８１寄りになって分離性が向上し、ジャムの発生等が抑制される。
【００３２】
なお、ニップ形成部材８３の表面は、凹状に限らず、例えば、図３に示すように、ニップ形成部材８３の加圧ローラ８１側の表面を平坦面状として、ニップ形成部材８３の平坦面状の表面に加圧ローラ８１の表面を弾性接触させ、所定幅のニップ部Ｎを形成するようにしてもよい。この場合、ニップ形成部材８３の加圧ローラ８１側の表面を平坦面状とすることで、ニップ部Ｎでの定着ベルト８０の回転（移動）が安定してスムーズなものとなる。
【００３３】
定着ベルト８０は、加圧ローラ８１の長手方向に沿って設けられいる。定着ベルト８０の基材には、ニッケルやＳＵＳなどの金属やポリイミドなどの樹脂が用いられている。定着ベルト８０の基材の表層（加圧ローラ８１側の表面）は、ＰＦＡ又はＰＴＦＥ層などの離型層を有し、トナーが付着しないように離型性を持たせている。
【００３４】
なお、定着ベルト８０の表層と離型層との間に、シリコーンゴム層などの弾性層があってもよい。このシリコーンゴム層がない場合は熱容量が小さくなり、定着性が向上するが、トナー像を押し潰して定着させるときにベルト表面の微小な凹凸が画像に転写されて画像のベタ部に、いわゆるユズ肌状の光沢ムラ（ユズ肌画像）が残るという不具合が生じる。この不具合を改善するには、シリコーンゴム層を１００μｍ以上の厚みで設ける必要がある。これにより、シリコーンゴム層が変形して、微小な凹凸が吸収されユズ肌画像が改善する。
【００３５】
定着ベルト８０の内側には、ニップ形成部材８３を支持するための支持部材（ステー）８５が設けられており、加圧ローラ８１により圧力を受けるニップ形成部材８３の撓みを防止し、加圧ローラ８１の軸線方向で均一なニップ幅を得られるようにしている。この支持部材８５は、保持部材（不図示）に保持固定され位置決めされている。
【００３６】
また、定着ベルト８０の内側には、ハロゲンヒータ８２と支持部材８５間に位置するようにして反射部材８６が設けられており、ハロゲンヒータ８２からの輻射熱などにより支持部材８５が加熱されてしまうことによる無駄なエネルギー消費を抑制している。なお、反射部材８６を備える代わりに支持部材８５の表面に断熱もしくは鏡面処理を施しても同様の効果を得ることか可能となる。
【００３７】
更に、本実施形態では、定着ベルト８０の内面に当接するようにして、ニップ部Ｎの上流側に液状の潤滑剤を含浸した第２摺動部材としての第２摺動シート９０が、例えば粘着テープによってシート固定部材９１の表面に貼り付けられている。なお、第２摺動シート９０のシート固定部材９１の表面への取り付けは、粘着テープによる貼り付けに限らず、例えば、第２摺動シート９０をシート固定部材９１に覆設して、定着ベルト８０との非対向側での複数のネジによる固定及び粘着テープによる貼り付けとの併用も可能である。第２摺動シート９０の詳細については後述する。
【００３８】
加圧ローラ８１は、芯金８１ａ上に弾性ゴム層８１ｂを有しており、離型性を得るためにその表面に離型層（ＰＦＡ又はＰＴＦＥ層）が設けてある。加圧ローラ８１は、画像形成装置１に設けられたモータなどの駆動源（不図示）からギア列を介して駆動力が伝達され回転する。
【００３９】
また、加圧ローラ８１は、スプリングなどにより定着ベルト８０側に押し付けられており、弾性ゴム層８１ｂがニップ形成部材８３に圧接して押し潰されて変形することにより、ニップ部Ｎにて所定のニップ幅を有している。
【００４０】
なお、加圧ローラ８１は中空のローラであってもよく、加圧ローラ８１内にハロゲンヒータなどの加熱源を有していてもよい。弾性ゴム層８１ｂはソリッドゴムでもよいが、加圧ローラ８１内にヒータが無い場合は、スポンジゴムを用いてもよい。スポンジゴムの方が、断熱性が高まり定着ベルトの熱が奪われにくくなるので、より望ましい。
【００４１】
そして、定着動作時においては、加圧ローラ８１が図示しない駆動源によりＲ１方向に回転駆動され、定着ベルト８０は、ニップ部Ｎにて圧接する加圧ローラ８１によりＲ２方向に連れ回り回転する。このように、定着ベルト８０は、ニップ部Ｎでニップ形成部材８３（第１摺動シート８４）と加圧ローラ８１との間に挟み込まれて回転し、ニップ部Ｎ以外では円弧状の保持部材（不図示）にガイドされ、回転（移動）する。この際、ハロゲンヒータ８２の発熱によって定着ベルト８０は素早く加熱され、所定温度に達している。
【００４２】
そして、ニップ部Ｎに搬送されてきた未定着トナー像が転写された記録紙Ｓは、ニップ部Ｎにおいて定着ベルト８０と加圧ローラ８１とで挟持搬送されながら加熱、加圧され、記録紙Ｓ上にトナー像が定着される。
【００４３】
（第１摺動シート８４の構成）
ニップ部Ｎでは、定着ベルト８０はニップ形成部材８３の表面に対して摺動しながら回転（移動）する。このため、定着ベルト８０のニップ形成部材８３との摺接による摩擦抵抗を低減して定着ベルト８０をスムーズに回転（移動）させるために、ニップ形成部材８３の定着ベルト８０と摺動接触する表面に、例えばシリコーンオイル等の潤滑剤が含浸された第１摺動シート８４が貼り付けられている。第１摺動シート８４として、例えばフッ素系繊維シートを用いることができる。
【００４４】
この第１摺動シート８４は、図４に示すように、その長手方向（ニップ形成部材８３の一端面側から他端面側に沿った方向）に沿って、綾織りによって一方向に傾斜（右方向に傾斜）した複数の織り目８４ａが等間隔で形成されている。織り目８４ａは、未定着のトナー像が転写された記録紙の通紙方向（矢印Ａ方向）に対して右方向に傾斜している。なお、図３は、ニップ形成部材８３の長手方向に沿ってその表面に貼り付けられた第１摺動シート８４をニップ部Ｎ側から見た状態を示している。第１摺動シート８４のような綾織りによるシートは、例えば図５に示すように、縦糸と横糸の交差位置を左右の糸と徐々にずらして構成する織り方によって構成されている。
【００４５】
そして、図６に示すように、定着動作時に、ニップ形成部材８３（第１摺動シート８４）側に加圧ローラ８１が加圧されると、第１摺動シート８４に含浸されている潤滑剤は、加圧ローラ８１による加圧によって複数の織り目８４ａに沿って矢印Ｂ方向に流れる（移動する）。
【００４６】
即ち、図６では、定着ベルト８０が第１摺動シート８４に対して下から上へ圧力を加える向き（矢印Ａ方向）に移動することで、第１摺動シート８４に含浸された潤滑剤は、絞られるように下から上へ移動させられる力を受ける。よって、第１摺動シート８４内の潤滑剤は、傾斜した織り目８４ａという流路に沿って、図６の左側から右側に沿って一方向（矢印Ｂ方向）に移動することになる。
【００４７】
なお、図６に示すように、１つの織り目８４ａにおいて移動する潤滑剤は、第１摺動シート８４の上端に達すると重力により第１摺動シート８４内を下方向に移動し、次の織り目８４ａにおいて同様に下から上へ移動させられる力を受ける。このように、第１摺動シート８４にその長手方向に沿って、一方向に傾斜した複数の織り目８４ａを形成することで、これらの織り目８４ａが、第１摺動シート８４の長手方向に沿って潤滑剤を一方向に流す流路となる。
【００４８】
このように、第１摺動シート８４に含浸されている潤滑剤によって、ニップ部Ｎにてニップ形成部材８３に摺接する定着ベルト８０との間の摩擦抵抗を低減することができる。
【００４９】
ところで、第１摺動シート８４内の潤滑剤は、傾斜した織り目８４ａという流路に沿って、図６の左側から右側に沿って一方向（矢印Ｂ方向）に移動するため、第１摺動シート８４の左側は潤滑剤が略枯渇し、第１摺動シート８４の右側は潤滑剤が過多となる。そして、潤滑剤の一部が、第１摺動シート８４の右側端部から周囲の定着ベルト８０、ニップ形成部材８３などに漏れると、第１摺動シート８４内の潤滑剤不足によってニップ部Ｎでの定着ベルト８０とニップ形成部材８３との間の摩擦抵抗が大きくなる。なお、第１摺動シート８４内の右側に移動している潤滑剤も、連続する定着動作につれて外に漏れていき、最終的には第１摺動シート８４内の潤滑剤が殆どなくなる。
【００５０】
第１摺動シート８４の潤滑剤不足（もしくは潤滑剤枯渇）によって、ニップ部Ｎでの定着ベルト８０とニップ形成部材８３との間の摩擦抵抗が大きくなる。このため、加圧ローラ８１にギア列等を介して連結されている駆動モータ（図示省略）の必要回転トルクが大きくなり、駆動モータの負担が大きくなる。
【００５１】
そこで、本実施形態では、第１摺動シート８４から潤滑剤が漏れるのを防止するための第２摺動シート９０を、定着ベルト８０の内面側に設けている。
【００５２】
（第２摺動シート９０の構成）
図２に示したように、第２摺動シート９０（シート固定部材９１）は、定着ベルト８０の回転方向（矢印Ｒ２方向）に対して、ハロゲンヒータ８２の位置よりも下流側で第１摺動シート８４の位置よりも上流側に位置するようにして設置されている。シート固定部材９１は、不図示の支持部材に支持されている。
【００５３】
なお、定着ベルト８０の軸方向（長手方向）での長さにおいて、本実施形態では、定着ベルト８０≧第２摺動シート９０＞第１摺動シート８４となるように設定されている。
【００５４】
シート固定部材９１の定着ベルト８０側に面する表面は、回転する定着ベルト８０の円弧形状に略対応した円弧形状に形成されており、この円弧形状の表面に沿って貼り付けられた第２摺動シート９０が定着ベルト８０の内面に接触するようにしている。第２摺動シート９０（シート固定部材９１）を、定着ベルト８０の円弧形状に略対応した円弧形状に形成することにより、回転する定着ベルト８０の形状が大きく変化することがなく、第２摺動シート９０と定着ベルト８０の内面に良好に接触させることができる。
【００５５】
第２摺動シート９０の定着ベルト８０と接触する表面には、例えばシリコーンオイル等の潤滑剤が含浸されている。また、第２摺動シート９０には、ニップ部Ｎにて第１摺動シート８４から定着ベルト８０の内面に付着した潤滑剤も付着される。第２摺動シート９０として、例えばフッ素系繊維シートを用いることができる。
【００５６】
この第２摺動シート９０は、図７に示すように、その長手方向（シート固定部材９１の一端面側から他端面側に沿った方向）に沿って、綾織りによって一方向に傾斜（左方向に傾斜（第１摺動シート８４の織り目８４ａとは反対方向に傾斜））した複数の織り目９０ａが等間隔で形成されている。織り目９０ａは、定着ベルト８０の回転方向（矢印Ｃ方向）に対して左方向に傾斜している。なお、図７は、シート固定部材９１の長手方向に沿ってその表面に貼り付けられた第２摺動シート９０を定着ベルト８０側から見た状態を示している。
【００５７】
そして、定着動作時に、上記したように加圧ローラ８１の回転駆動にともなって定着ベルト８０が回転されると、図８に示すように、第２摺動シート９０に含浸されている潤滑剤は、第２摺動シート９０の定着ベルト８０との摺動接触によって複数の織り目９０ａに沿って矢印Ｄ方向（第１摺動シート８４の織り目８４ａに沿った潤滑剤の移動方向とは逆方向）に流れる（移動する）。
【００５８】
このように、定着動作時において、加圧ローラ８１の回転駆動にともなって定着ベルト８０が回転されると、第２摺動シート９０に含浸されている潤滑剤は、第２摺動シート９０のり目９０ａに沿って一方向（矢印Ｄ方向）に流れて（図８参照）、この流れパターン状態で接している定着ベルト８０の内面に付着する。
【００５９】
そして、定着ベルト８０の回転にともなってこの潤滑剤が付着した領域がニップ部Ｎに達すると、この付着している潤滑剤の向きが、第１摺動シート８４の織り目８４ａの方向とは逆方向であるため、第１摺動シート８４に含浸されている潤滑剤が織り目８４ａに沿って移動しようとするのを抑えようとする。
【００６０】
これにより、第１摺動シート８４内の潤滑剤が傾斜した織り目８４ａに沿って、図６の左側から右側に沿って一方向（矢印Ｂ方向）に移動することが抑制されるので、上記したように第１摺動シート８４の右側端部から潤滑剤が漏れることが防止され、第１摺動シート８４内の潤滑剤不足が生じることがなくなる。よって、長期にわたって、第１摺動シート８４に含浸されている潤滑剤で、ニップ部Ｎにてニップ形成部材８３に摺接する定着ベルト８０との間の摩擦抵抗を低減することができる。
【００６１】
また、本実施形態では、潤滑剤を含浸した第２摺動シート９０は、定着ベルト８０の回転方向に対して、ハロゲンヒータ８２の位置よりも下流側で第１摺動シート８４の位置よりも上流側に位置するようにして設置されているので、ハロゲンヒータ８２で加熱されて粘度が低下し流動性が高まった定着ベルト８０上の潤滑剤が第２摺動シート９０に付着させることができる。これにより、第２摺動シート９０の織り目９０ａに沿って潤滑剤が移動し易くなり、より効果的に第１摺動シート８４に含浸されている潤滑剤が織り目８４ａに沿って移動しようとするのを抑えることができる。
【００６２】
なお、第２摺動シート９０の設置は、上記したように定着ベルト８０の回転方向に対して、ハロゲンヒータ８２の位置よりも下流側で第１摺動シート８４の位置よりも上流側に位置するようにして設置するのが望ましいが、定着ベルト８０の内側のニップ部Ｎ以外の少なくとも一部の位置であれば特に限定されることはない。
【００６３】
実施形態１の変形例として、例えば、図９に示すように、定着ベルト８０の内側に保持されたニップ形成部材８３の、定着ベルト８０を挟んで加圧ローラ８１が当接されるニップ部Ｎを含む領域に第１摺動シート８４を貼り付け、更に、ニップ形成部材８３の、第１摺動シート８４の上流側で定着ベルト８０には接触するが加圧ローラ８１には接していない部分に、第２摺動シート９０を貼り付けてもよい。第１摺動シート８４と第２摺動シート９０は、定着ベルト８０の回転方向に沿ったニップ形成部材８３上で少し隙間を設けるようにして貼り付けられている。
【００６４】
また、実施形態１の他の変形例として、例えば、図１０に示すように、定着ベルト８０の内側に保持されたニップ形成部材８３の、定着ベルト８０を挟んで加圧ローラ８１が当接されるニップ部Ｎを含む領域に第１摺動シート８４を貼り付け、更に、第１摺動シート８４の上流側（ニップ部Ｎの上流側）で、ニップ形成部材８３の端部側曲面部８３ａと定着ベルト８０の内面との間に、定着ベルト８０の内面に接触するようにして第２摺動シート９０を設置してもよい。この場合、第２摺動シート９０は、板状のシート固定部材９１に取り付けられている。シート固定部材９１は不図示の支持部材に固定されている。
【００６５】
上記の変形例と他の変形例においても、第１摺動シート８４と第２摺動シート９０，９０ｂの織り目の方向は、上記したようにそれぞれ逆方向であり、これらの場合においても実施形態１と同様の効果を得ることができる。
【００６６】
なお、上記の変形例、他の変形例では、ニップ形成部材８３の加圧ローラ８１側の表面を平坦面状として、ニップ形成部材８３の平坦面状の表面に加圧ローラ８１の表面を弾性接触させ、所定幅のニップ部Ｎを形成するようにしている。
【００６７】
<実施形態２>
本実施形態では、実施形態１で説明したように、潤滑剤を含浸した第２摺動シート９０（シート固定部材９１）は、定着ベルト８０の回転方向に対して、ハロゲンヒータ８２の位置よりも下流側で第１摺動シート８４の位置よりも上流側に位置するようにして設置する。そして、第２摺動シート９０の定着ベルト８０との間の軸方向の接触面積を、定着ベルト８０を挟んで加圧ローラ８１が当接されるニップ部Ｎの面積よりも広くし、かつ第２摺動シート９０が定着ベルト８０の内面に接触る圧力を、ニップ部Ｎで加圧ローラ８１が定着ベルト８０を挟んでニップ形成部材８３（第１摺動シート８４）に当接する圧力よりも小さくなるように構成する。
【００６８】
ニップ部Ｎでの圧力（加圧力）は、未定着トナー像を記録紙に定着させる必要があるので、構成によって異なるが、一般に１kgf/cm2程度であることが望ましい。ところで、第２摺動シート９０が定着ベルト８０の内面に接する圧力に、上記の１kgf/cm2程度の圧力を要求すると、定着動作時に回転する定着ベルト８０の動的形状が大きく変化してしまうため、上記したように、第２摺動シート９０の定着ベルト８０との間の軸方向の接触面積を、ニップ部Ｎの面積よりも広くし、かつ第２摺動シート９０が定着ベルト８０の内面に接する圧力を、ニップ部Ｎでの圧力よりも小さくすることで、安定して良好な定着動作を行うことができる。
【００６９】
なお、第２摺動シート９０が定着ベルト８０の内面に接触するときの圧力値としては、例えば、０．２〜０．４kgf/cm2程度が好適である。
【００７０】
<実施形態３>
本実施形態では、図１１に示すように、加圧ローラ８１の回転軸（図示省略）の長手方向端部側には、この加圧ローラ８１を、定着ベルト８０を挟むようにしてニップ形成部材８３（第１摺動シート８４）に所定の加圧力で当接・離間（脱圧）させるための加圧力調整機構１００が連結されている。なお、この加圧力調整機構１００は、図１、図２に示した実施形態１（図９、図１０の変形例、他の変形例、実施形態２も含む）の定着装置１０にも設けられている。
【００７１】
加圧力調整機構１００は、不図示の駆動モータ、ギア列、移動機構等を有し、装置制御部１０１から入力される制御信号に基づいて駆動される駆動モータの正回転、逆回転に応じて、加圧ローラ８１を移動させることができる。これにより、加圧ローラ８１を、定着ベルト８０を挟むようにしてニップ形成部材８３（第１摺動シート８４）に所定の加圧力で当接・離間（脱圧）させることができる。
【００７２】
また、この加圧力調整機構１００には、シート固定部材９１の第２摺動シート９０を貼り付けた表面側を定着ベルト８０の内面に当接・離間させるための接離機構１０２が連結されており、加圧力調整機構１００の動作に連動して接離機構１０２が同様の動作をするように構成されている。
【００７３】
接離機構１０２は、例えば、図１２に示すように、ギア列１０３を介してシート固定部材９１の上部９１ａに接する、回転可能に支持された偏心カム１０４等を有しており、シート固定部材９１の長手方向両端側に設けられている。このギア列１０３は、加圧力調整機構１００側の駆動モータ（図示省略）に接続された駆動ギアと連結されている。なお、シート固定部材９１には、このシート固定部材９１を偏心カム１０４側（定着ベルト８０と反対側）に付勢しているバネ等の付勢部材（図示省略）が連結されている。
【００７４】
本実施形態では、装置制御部１０１から入力される制御信号に基づいて駆動される加圧力調整機構１００の駆動動作と接離機構１０２の駆動は連動している。
【００７５】
例えば、画像形成動作の実行時には、加圧力調整機構１００の駆動モータが駆動（正回転）されて加圧ローラ８１が、定着ベルト８０を挟むようにしてニップ形成部材８３（第１摺動シート８４）に所定の加圧力で当接される。更に、それに連動して接離機構１０２の、偏心カム１０４がギア列１０３からの駆動力によって偏心回転し、付勢部材（図示省略）の付勢力に抗して接しているシート固定部材９１（第２摺動シート９０）を定着ベルト８０の内面に接触させることができる。
【００７６】
よって、実施形態１で述べたように定着動作時において、加圧ローラ８１の回転駆動にともなって定着ベルト８０が回転されると、第２摺動シート９０に含浸されている潤滑剤は、第２摺動シート９０の織り目９０ａに沿って一方向に流れて（図８参照）、この流れパターン状態で接している定着ベルト８０の内面に付着する。そして、定着ベルト８０の回転にともなってこの潤滑剤が付着した領域がニップ部Ｎに達すると、この付着している潤滑剤の向きが、第１摺動シート８４の織り目８４ａの方向とは逆方向であるため、第１摺動シート８４に含浸されている潤滑剤が織り目８４ａに沿って移動しようとするのを抑えることができる。
【００７７】
また、画像形成動作が実行されていない待機モード等のときは、加圧力調整機構１００の駆動モータが逆回転されて加圧ローラ８１が、定着ベルト８０を挟むようにしてニップ形成部材８３（第１摺動シート８４）に所定の加圧力で当接されていた状態が解除され、離間（脱圧）される。更に、それに連動して接離機構１０１の、偏心カム１０４がギア列１０３からの駆動力によって逆方向に偏心回転し、これにともなって付勢部材（図示省略）の付勢力により、シート固定部材９１（第２摺動シート９０）を定着ベルト８０の内面から離間させることができる。
【００７８】
このように、画像形成動作が実行されていない待機モード等のときは、加圧力調整機構１００の動作に連動して、シート固定部材９１（第２摺動シート９０）を定着ベルト８０の内面から離間させることができるので、待機モード等のときに所定温度に保持されている定着ベルト８０から熱が第２摺動シート９０側に奪われることを防止することができる。これにより、待機モード等のときに定着ベルト８０を所定温度に安定して保持できるので、省エネ性の向上を図ることができる。
【００７９】
なお、画像形成動作が実行されていない待機モード等のときに、仮に定着ベルト８０を回転させる動作が入ったとしても、その回転速度は画像形成動作（定着動作）時よりも遅く、かつ時間も短いので、第１摺動シート８４に含浸されている潤滑剤が織り目８４ａに沿って移動する量は少なく、第１摺動シート８４から外部に漏れることは殆どない。
【００８０】
また、図９に示したように、ニップ形成部材８３に第１摺動シート８４と第２摺動シート９０が貼り付けられた構成の場合には、ニップ形成部材８３の、第１摺動シート８４と第２摺動シート９０の間を分割して、この分割箇所を蝶番で回動可能に連結することで、ニップ形成部材８３の第２摺動シート９０側を、定着ベルト８０の内面から離間させることができる。
【００８１】
<実施形態４>
実施形態３では、加圧力調整機構１００の駆動動作と接離機構１０２の動作は連動している構成であったが、本実施形態では、図１３に示すように、装置制御部１０１から入力される制御信号に基づいて、加圧力調整機構１００と接離機構１０２をそれぞれ独立して駆動するようにした構成である。他の構成は実施形態３と同様である。
【００８２】
本実施形態の接離機構１０２には、図１２に示したギア列１０３、偏心カム１０４を回転させる駆動源としての駆動モータ（図示省略）を有している。
【００８３】
このように、本実施形態では、加圧力調整機構１００の動作状況にかかわらず、接離機構１０２を駆動して、シート固定部材９１（第２摺動シート９０）を定着ベルト８０の内面に当接・離間させることができる。
【００８４】
定着ベルト８０は、ニップ部Ｎにて圧接する加圧ローラ８１によって連れ回り回転するので、画像形成準備動作における加圧ローラ８１の回転開始時には定着ベルト８０がスリップ回転し易い。このため、回転開始時に定着ベルト８０がスリップして回転すると、定着ベルト８０のハロゲンヒータ８２側に面した一部が局所的により多く加熱され、塑性変形（よじれ）などが生じる可能性がある。
【００８５】
このときに、第２摺動シート９０が定着ベルト８０の内面に接していると、上記の塑性変形（よじれ）した箇所での摩擦抵抗が大きくなる。このため、定着ベルト８０に圧接して回転させる加圧ローラ８１にギア列等を介して連結されている駆動モータ（図示省略）の必要回転トルクが大きくなり、駆動モータの負担が大きくなる。
【００８６】
よって、定着ベルト８０の塑性変形（よじれ）が生じ易い、画像形成準備動作時の定着ベルト８０の回転開始から所定の時間が経過するまでは、第２摺動シート９０を定着ベルト８０の内面から離間させておくことが好ましい。例えば、画像形成準備動作時での定着ベルト８０の回転開始から３秒間（この時間は任意に設定可能）は、接離機構１０２を駆動して第２摺動シート９０を定着ベルト８０の内面から離間させて、３秒経過後に第２摺動シート９０を定着ベルト８０の内面に接触させるようにする。これにより、画像形成準備動作時での回転開始時に定着ベルト８０がスリップ回転しても、上記した加圧ローラ８１の駆動モータ（図示省略）の必要回転トルクが大きくなるような不具合を防止できる。
【００８７】
<実施形態５>
実施形態４では、画像形成準備動作時での定着ベルト８０の回転開始から所定の時間が経過するまでは、第２摺動シート９０を定着ベルト８０の内面から離間させその後に当接させる構成であったが、本実施形態では、以下のような定着動作時おける所定の定着動作状態データに基づいて、第２摺動シート９０の当接・離間を決定するようにした構成である。
【００８８】
上記の定着動作状態データとして、記録紙がニップ部Ｎに通紙される枚数（通紙枚数）、加圧ローラ８１の駆動モータの回転トルク、加圧ローラ８１の走行距離などのデータが挙げられる。なお、加圧ローラ８１の走行距離は、加圧ローラ８１の積算回転数値に対応しており、例えば、直径３０ｍｍの加圧ローラ８１が１００回転している場合には９４２０ｍｍ（＝３０×π（３．１４）×１００）となる。
【００８９】
上記の通紙枚数は非接触の枚数検知センサ、駆動モータの回転トルクはトルク検知センサ、加圧ローラ８１の走行距離はローラ回転数検知センサによってそれぞれの状態を検知することができ、これらの検知データ（通紙枚数データ、回転トルクデータ、走行距離データ）は、装置制御部１０１（図１３参照）に接続されている記憶部（図示省略）に格納される。装置制御部１０１は、この記憶部に格納された検知データとしての定着動作状態データに基づいて、第２摺動シート９０の当接・離間を決定し、その結果に基づいて接離機構１０１を駆動制御する。
【００９０】
本実施形態における第２摺動シート９０の当接・離間制御の一例を、図１４に示すフローチャートを参照して説明する。
【００９１】
例えば、上記した定着装置１０の寿命通紙枚数が３０００００（３００ｋ）枚とした場合、装置制御部１０１は、記録紙がニップ部Ｎに通紙される積算枚数（通紙枚数）が、閾値とした１５００００（１５０ｋ）枚以下であるか否かを判定し（ステップＳ１）、１５０ｋ枚以上である場合（ステップＳ１：ＮＯ）、第２摺動シート９０が定着ベルト８０の内面から常時離間されるように接離機構１０１を制御する（離間モード：ステップＳ２）。
【００９２】
この場合のように、例えば、通紙枚数が閾値である１５００００（１５０ｋ）枚を超えて、第２摺動シート９０内の潤滑剤も、定着ベルト８０の内面に付着している潤滑剤も殆ど枯渇してしまうような状態になると、第２摺動シート９０を定着ベルト８０の内面に当接させた状態では定着ベルト８０の回転に対して大きな抵抗となり、加圧ローラ８１の駆動モータの回転トルクの上昇につながってしまう。
【００９３】
そして、記録紙がニップ部Ｎに通紙される枚数（通紙枚数）が、閾値とした１５０ｋ枚以下である場合（ステップＳ１：ＹＥＳ）、装置制御部１０１は、第２摺動シート９０を定着ベルト８０の内面に当接させた状態で、加圧ローラ８１の駆動モータの回転トルクが、閾値とした０．６Ｎ・ｍ以下であるか否かを判定し（ステップＳ３）、０．６Ｎ・ｍ以上である場合（ステップＳ３：ＮＯ）、第２摺動シート９０が定着ベルト８０の内面から常時離間されるように接離機構１０１を制御する（離間モード：ステップＳ２）。
【００９４】
この場合のように、例えば、駆動モータの回転トルクが閾値とした０．６Ｎ・ｍ以上の場合には、正常時よりも駆動モータの回転トルクが上がっており、これ以上回転トルクが上昇しないように、第２摺動シート９０を定着ベルト８０の内面から常時離間させておく。
【００９５】
そして、駆動モータの回転トルクが閾値とした０．６Ｎ・ｍ以下である場合（ステップＳ３：ＹＥＳ）、装置制御部１０１は、第２摺動シート９０を定着ベルト８０の内面に当接させた状態で、加圧ローラ８１の走行距離が、閾値とした１２００００（１２０ｋ）以下であるか否かを判定し（ステップＳ４）、１２０ｋ以上である場合には（ステップＳ４：ＮＯ）、第２摺動シート９０が定着ベルト８０の内面から常時離間されるように接離機構１０１を制御する（離間モード：ステップＳ２）。
【００９６】
この場合のように、例えば、加圧ローラ８１の走行距離が閾値とした１２０ｋ以上の場合には、加圧ローラ８１の形状変形等によって駆動モータの回転トルクが上昇するため、これ以上回転トルクが上昇しないように、第２摺動シート９０を定着ベルト８０の内面から常時離間させておく。
【００９７】
そして、加圧ローラ８１の走行距離が閾値とした１２０ｋ以下である場合（ステップＳ４：ＹＥＳ）、装置制御部１０１は、第２摺動シート９０を定着ベルト８０の内面に当接させた状態で、ステップＳ１に戻る。
【００９８】
このように、定着動作時おける定着動作状態データに基づいて、第２摺動シート９０の当接・離間を決定することにより、安定して良好な定着動作を実行することができる。
【００９９】
なお、第２摺動シート９０の当接・離間制御を行う際の、当接か離間かを決定するときの定着動作状態データ（通紙枚数、加圧ローラ８１の駆動モータの回転トルク、加圧ローラ８１の走行距離などのデータ）の閾値は上記した値に限らず、任意に変更可能である。これにより、使用環境等に応じてユーザが適切な閾値を設定することができる。
【符号の説明】
【０１００】
１        プリンタ
１０      定着装置
８０      定着ベルト
８１      加圧ローラ
８２      ハロゲンヒータ
８３      ニップ形成部材
８４      第１摺動シート
８４ａ    織り目
９０      第２摺動シート
９０ａ    織り目
１００    加圧力調整機構
１０１    装置制御部
１０２    接離機構
【先行技術文献】
【特許文献】
【０１０１】
【特許文献１】特開２００７−２３３０１１号公報
【図１】
2017167349.tif 000003
【図２】
2017167349.tif 000004
【図３】
2017167349.tif 000005
【図４】
2017167349.tif 000006
【図５】
2017167349.tif 000007
【図６】
2017167349.tif 000008
【図７】
2017167349.tif 000009
【図８】
2017167349.tif 000010
【図９】
2017167349.tif 000011
【図１０】
2017167349.tif 000012
【図１１】
2017167349.tif 000013
【図１２】
2017167349.tif 000014
【図１３】
2017167349.tif 000015
【図１４】
2017167349.tif 000016